(57)【要約】【課題】センシングに関わる消費電力を削減することが可能な携帯型電子機器を提供する。【解決手段】周期ｔ０で検出される加速度センサ２０１の検出結果をバッファ部２０２ａに蓄積し、周期ｔ０よりも長い周期Ｔでバッファ部２０２ａから検出結果を状態判定部２０３ａが読み出して、当該移動無線端末装置の状態を判定するようにしたものである。【選択図】      図２
2010033174.tif 000002
【特許請求の範囲】
【請求項１】
携帯型電子機器の状態を検出する検出手段と、
この検出手段の検出結果を、第１の周期で記憶する記憶手段と、
前記第１の周期よりも長い第２の周期の間に前記記憶手段が記憶した複数の前記検出結果を、前記第２の周期が経過する毎に読み出して、この読み出した複数の前記検出結果に基づいて前記携帯型電子機器の状態を判定する判定手段とを具備することを特徴とする携帯型電子機器。
【請求項２】
さらに、ユーザからの要求を受け付ける入力手段と、
この入力手段に対して要求が与えられたことを検出する要求検出手段とを備え、
前記判定手段は、前記要求検出手段が要求が与えられたことを検出した場合に、前記第２の周期の間に前記記憶手段が記憶した複数の前記検出結果を、前記第２の周期が経過する毎に読み出して、この読み出した複数の前記検出結果に基づいて前記携帯型電子機器の状態を判定することを特徴とする請求項１に記載の携帯型電子機器。
【請求項３】
前記判定手段は、前記要求検出手段が要求が与えられたことを検出した時までに、前記記憶手段が記憶した検出結果に基づいて、前記携帯型電子機器の状態を判定することを特徴とする請求項２に記載の携帯型電子機器。
【請求項４】
前記判定手段は、前記要求検出手段が要求が与えられたことを検出した時以降に、前記記憶手段が記憶した検出結果に基づいて、前記携帯型電子機器の状態を判定することを特徴とする請求項２に記載の携帯型電子機器。
【請求項５】
さらに、当該携帯型電子機器の周囲の状態を検出する周囲状態検出手段を備え、
前記記憶手段は、前記周囲状態検出手段が予め設定した状態を検出している間に前記検出手段が検出した検出結果を除く複数の検出結果を第１の周期で記憶することを特徴とする請求項２に記載の携帯型電子機器。
【発明の詳細な説明】
【技術分野】
【０００１】
この発明は、例えば携帯型電子機器などに用いられるセンシング方法に関する。
【背景技術】
【０００２】
周知のように、携帯電話機などの携帯型電子機器にあっては、消費電力の削減が重要な課題となっている。これに対して従来は、ユーザの接近や接触を検出して、  ユーザの接近や接触、あるいは離反に応じて、動作状態を制御して消費電力を削減するようにしている（例えば、特許文献１参照）。
【０００３】
しかしながら、このような従来の手法では、ユーザの接近や接触を検出するために、常時センサを動作させる必要があるため、そのセンシングによって新たな電力消費が発生するという問題があった。
【特許文献１】特開平６−１１９０９０公報
【発明の開示】
【発明が解決しようとする課題】
【０００４】
従来の携帯型電子機器などにあっては、センシングによる消費電力が問題となっており改善が望まれていた。  
この発明は上記の要望に応えるべく為されたもので、センシングに関わる消費電力を削減することが可能な携帯型電子機器を提供することを目的とする。
【課題を解決するための手段】
【０００５】
上記の目的を達成するために、この発明は、当該携帯型電子機器の状態を検出する検出手段と、この検出手段の検出結果を、第１の周期で記憶する記憶手段と、第１の周期よりも長い第２の周期の間に記憶手段が記憶した複数の検出結果を、第２の周期が経過する毎に読み出して、この読み出した複数の検出結果に基づいて携帯型電子機器の状態を判定する判定手段とを具備して構成するようにした。
【発明の効果】
【０００６】
以上述べたように、この発明では、検出手段による検出結果を第１の周期で記憶手段が記憶し、第１の周期よりも長い第２の周期の間に記憶手段が記憶した複数の検出結果を、第２の周期が経過する毎に読み出して、携帯型電子機器の状態を判定するようにしている。  
したがって、この発明によれば、検出手段による検出結果を記憶する周期よりも長い周期で、判定手段が判定を行うので、センシングに関わる消費電力を削減することが可能な携帯型電子機器を提供できる。
【発明を実施するための最良の形態】
【０００７】
以下、図面を参照して、この発明の一実施形態について説明する。以下の説明では、携帯型電子機器の一例として、携帯電話機などの移動無線端末装置を例に挙げて説明する。  図１は、この発明の一実施形態に係わる移動無線端末装置の構成を示すブロック図である。この移動無線端末装置は、図１に示すように、主な構成要素として、制御部１００と、無線通信部１０と、センサ部２０と、通話部３０と、表示部４０と、操作部５０と、記憶部６０とを備える。
【０００８】
無線通信部１０は、例えばW-CDMA(Wideband Code Division Multiple Access)などの移動通信システムで用いられる無線通信規格に準拠した無線通信手段であって、制御部１００の指示にしたがって、移動通信網ＮＷに収容された基地局装置ＢＳと無線通信を行い、音声データや電子メールデータなどの送受信、Ｗｅｂデータやストリーミングデータなどの受信を行う。すなわち、移動通信網ＮＷ、およびこれに収容された基地局装置ＢＳは、携帯電話システムの一部を構成するものである。
【０００９】
センサ部２０は、当該移動無線端末装置の状態を検出するものであって、この検出結果に応じて、スリープ状態で動作している制御部１００をアクティブ状態に移行させるものである。なお、当該移動無線端末装置の状態とは、例えば、机の上に載置されるなどして静止している状態や、この状態からユーザが持ち上げられた状態、あるいはユーザによって当該移動無線端末装置が携帯されている状態（徒歩移動、自転車移動、自動車移動、電車移動、あるいは航空機移動など）などである。
【００１０】
通話部３０は、スピーカ３１やマイクロホン３２と接続され、マイクロホン３２を通じて入力されたユーザの音声を音声データに変換して制御部１００に出力したり、通話相手などから受信した音声データを復号してスピーカ３１から出力するものである。  
表示部４０は、制御部１００の制御により、画像（静止画像および動画像）や文字情報などを表示して、視覚的にユーザに情報を伝達するものである。
【００１１】
操作部５０は、複数のキースイッチなどを備え、これを通じてユーザから指示を受け付けるものである。
【００１２】
記憶部６０は、制御部１００の制御プログラムや制御データ、アプリケーションソフトウェア、通信相手の名称や電話番号などを対応づけたアドレスデータ、送受信した電子メールのデータ、ＷｅｂブラウジングによりダウンロードしたＷｅｂデータや、ダウンロードしたストリーミングデータなどを記憶するものである。
【００１３】
制御部１００は、マイクロプロセッサを備え、記憶部６０が記憶する制御プログラムや制御データにしたがって動作し、当該移動無線端末装置の各部を統括して制御し、音声通信やデータ通信を実現するものである。また制御部１００は、記憶部６０が記憶するアプリケーションソフトウェアにしたがって動作し、電子メールの送受信や、Ｗｅｂブラウジング、ダウンロードしたストリーミングデータに基づいて動画像を表示部４０に表示したり、音声通信を行う通信制御機能を備える。
【００１４】
また制御部１００は、電力消費量を抑制するために、一定時間以上、操作部５０を通じたユーザ操作や、メール受信あるいは着信が無い場合に、通常の動作状態であるアクティブ状態から、一部の機能を停止させて動作するスリープ状態に遷移する。またスリープ状態になった場合に、センサ部２０から要求があると、再びアクティブ状態に遷移する。  
そして制御部１００は、センサ部２０から通知される当該移動無線端末装置の状態を示す情報に基づいて、種々の制御を実施する。
【００１５】
（第１の実施形態）
図２に、この発明の第１の実施形態に係わるセンサ部２０の構成を示す。このセンサ部２０は、加速度センサ２０１と、バッファ部２０２ａと、状態判定部２０３ａとを備える。図３は、第１の実施形態に係わるセンサ部２０を構成する各部の動作を説明するためのタイミングチャートであって、制御部１００からスリープ状態に遷移したことを示す通知を受けると、このチャートに示す動作を開始する。なお、制御部１００の状態にかかわらず、定常的に動作するようにしてもよい。
【００１６】
以下、図３を参照して各部の動作を説明する。  
加速度センサ２０１は、予め設定した周期ｔ０で、当該移動無線端末装置に生じた加速度を検出し、この検出結果をバッファ部２０２ａが記憶する動作を定常的に行っている。なお、バッファ部２０２ａは、記憶している検出結果がいっぱいになると、古い検出結果を廃棄し、代わりに最新の検出結果を記憶する。
【００１７】
そして、状態判定部２０３ａは、周期Ｔ（＞ｔ０）が到来する毎に、バッファ部２０２ａが蓄積した加速度センサ２０１の検出結果を読み出す。すなわち、周期Ｔ毎に、この周期Ｔの間にバッファ部２０２ａに蓄積された複数サンプルの上記検出結果を読み出す。
【００１８】
そして、状態判定部２０３ａは、読み出した複数サンプルの検出結果に基づいて、当該移動無線端末装置の状態を判定する。そしてこの判定の結果が、当該移動無線端末装置をユーザが取り上げるなどして手に持っている状態と判定した場合には、状態判定部２０３ａは、制御部１００をスリープ状態からアクティブ状態に遷移させる。
【００１９】
以上のように、上記構成の移動無線端末装置では、周期ｔ０で検出される加速度センサ２０１の検出結果をバッファ部２０２ａに蓄積し、周期ｔ０よりも長い周期Ｔでバッファ部２０２ａから検出結果を状態判定部２０３ａが読み出して、当該移動無線端末装置の状態を判定するようにしている。
【００２０】
したがって、上記構成の移動無線端末装置によれば、加速度センサ２０１の検出結果を状態判定部２０３ａが逐次判定するのではなく、検出周期ｔ０よりも長い周期Ｔで判定を行うので、判定に関わる消費電力を軽減することができ、また多少の検出遅延は生じるものの、検出精度を劣化させることもない。
【００２１】
（第２の実施形態）
図４に、この発明の第２の実施形態に係わるセンサ部２０の構成を示す。このセンサ部２０は、加速度センサ２０１と、バッファ部２０２ａと、状態判定部２０３ｂと、ユーザ操作検出部２０４ａとを備える。図５は、第２の実施形態に係わるセンサ部２０を構成する各部の動作を説明するためのタイミングチャートであって、制御部１００からスリープ状態に遷移したことを示す通知を受けると、このチャートに示す動作を開始する。なお、制御部１００の状態にかかわらず、定常的に動作するようにしてもよい。
【００２２】
以下、図５を参照して各部の動作を説明する。  
加速度センサ２０１は、予め設定した周期ｔ０で、当該移動無線端末装置に生じた加速度を検出し、この検出結果をバッファ部２０２ａが記憶する動作を定常的に行っている。なお、バッファ部２０２ａは、記憶している検出結果がいっぱいになると、古い検出結果を廃棄し、代わりに最新の検出結果を記憶する。
【００２３】
そしてユーザ操作検出部２０４ａは、操作部５０に対するユーザ操作を監視している。  やがて、ユーザ操作検出部２０４ａがユーザ操作を検出すると、この旨を状態判定部２０３ｂに通知する。すると、状態判定部２０３ｂは、ユーザ操作検出部２０４ａがユーザ操作のあったことを検出した通知を受けた後、周期Ｔ（＞ｔ０）が到来する毎に、バッファ部２０２ａが蓄積した加速度センサ２０１の検出結果を読み出す処理を開始する。すなわち、周期Ｔ毎に、この周期Ｔの間にバッファ部２０２ａに蓄積された複数サンプルの上記検出結果を読み出し始める。
【００２４】
なお、状態判定部２０３ｂは、ユーザ操作検出部２０４ａから上記通知を受けた時に、この時点のバッファ部２０２ａが蓄積している検出結果を読み出し、その後、周期Ｔが到来する毎に、バッファ部２０２ａが蓄積する加速度センサ２０１の検出結果を読み出すようにしても良い。
【００２５】
そして、状態判定部２０３ｂは、読み出した複数サンプルの検出結果に基づいて、当該移動無線端末装置の状態を判定する。そしてこの判定の結果が、当該移動無線端末装置をユーザが取り上げるなどして手に持っている状態と判定した場合には、状態判定部２０３ｂは、制御部１００をスリープ状態からアクティブ状態に遷移させる。
【００２６】
その後、ユーザ操作検出部２０４ａは、ユーザ操作が無い状態が時間ｔ１以上継続していることを検出すると、この旨を状態判定部２０３ｂに通知する。すると、状態判定部２０３ｂは、バッファ部２０２ａから検出結果を読み出す処理を停止する。なお、図５においては、時間ｔ１を周期Ｔより短く示しているが、周期Ｔより長くてもよい。
【００２７】
以上のように、上記構成の移動無線端末装置では、周期ｔ０で検出される加速度センサ２０１の検出結果をバッファ部２０２ａに蓄積し、ユーザ操作があった場合に、周期ｔ０よりも長い周期Ｔでバッファ部２０２ａから検出結果を状態判定部２０３ｂが読み出して、当該移動無線端末装置の状態を判定するようにしている。
【００２８】
したがって、上記構成の移動無線端末装置によれば、加速度センサ２０１の検出結果を状態判定部２０３ｂが逐次判定するのではなく、ユーザ操作があった場合にだけ、検出周期ｔ０よりも長い周期Ｔで判定を行うので、さらに判定に関わる消費電力を軽減することができ、また多少の検出遅延は生じるものの、検出精度を劣化させることもない。
【００２９】
なお、上記第２の実施形態では、図５に示したように、ユーザ操作を検出した直前までにバッファ部２０２ａに蓄積した加速度センサ２０１の検出結果を読み出すようにしたが、図５に示すように、ユーザ操作を検出した時点以降にバッファ部２０２ａに蓄積した加速度センサ２０１の検出結果を読み出すようにしてもよい。
【００３０】
（第３の実施形態）
図７に、この発明の第３の実施形態に係わるセンサ部２０の構成を示す。このセンサ部２０は、加速度センサ２０１と、バッファ部２０２ｂと、状態判定部２０３ｂと、ユーザ操作検出部２０４ｂと、照度センサ２０５と、非定常状態検出部２０６とを備える。図８は、第３の実施形態に係わるセンサ部２０を構成する各部の動作を説明するためのタイミングチャートであって、制御部１００からスリープ状態に遷移したことを示す通知を受けると、このチャートに示す動作を開始する。なお、制御部１００の状態にかかわらず、定常的に動作するようにしてもよい。
【００３１】
以下、図７を参照して各部の動作を説明する。  
加速度センサ２０１は、予め設定した周期ｔ０で、当該移動無線端末装置に生じた加速度を検出し、この検出結果をバッファ部２０２ｂが記憶する動作を定常的に行っている。なお、バッファ部２０２ｂは、記憶している検出結果がいっぱいになると、古い検出結果を廃棄し、代わりに最新の検出結果を記憶する。
【００３２】
そして照度センサ２０５が当該移動無線端末装置の周囲の照度を検出しており、この検出結果は、非定常状態検出部２０６に出力される。非定常状態検出部２０６は、照度センサ２０５の検出結果に基づいて、予め設定した状態を検出したか否かを判定する。例えば、周囲の明るさが予め設定した以上に明るく変化した場合（あるいは、周囲の明るさが予め設定した以上の明るさになった場合）に、非定常的な状態に状態変化したものとして検出する。これは、例えばバッグなどから取り出された場合のように、ユーザによって取り出し作業を行っている状態を非定常的な状態として検出するためのものである。またユーザ操作検出部２０４ｂは、操作部５０に対するユーザ操作を監視している。
【００３３】
やがて、非定常状態検出部２０６が非定常状態を検出すると、バッファ部２０２ｂを制御して、非定常状態を検出している間、バッファ部２０２ｂが加速度センサ２０１の検出結果を記憶しないように制御する。具体的には、非定常状態検出部２０６がバッファ部２０２ｂに対して、加速度センサ２０１の検出結果の記憶を停止するように指示する。これによりバッファ部２０２ｂは、加速度センサ２０１の検出結果の記憶を停止する。
【００３４】
ここで、ユーザ操作検出部２０４ｂが操作部５０に対するユーザ操作を検出すると、ユーザ操作が行われたことを状態判定部２０３ｂおよび非定常状態検出部２０６に通知されるが、このとき、非定常状態検出部２０６が非定常状態を検出したことに伴って、加速度センサ２０１の検出結果がバッファ部２０２ｂへ記憶されるのを停止している。そこで、ユーザ差王佐検出部２０４ｂからの上記通知を受信した非定常状態検出部２０６は、バッファ部２０２ｂを制御して、バッファ部２０２ｂが再び加速度センサ２０１の検出結果を記憶するように制御する。即ち、非定常状態検出部２０６がバッファ部２０２ｂに対して、加速度センサ２０１の検出結果の記憶を再開するように指示し、これによりバッファ部２０２ｂは、加速度センサ２０１の検出結果の記憶を再開する。
【００３５】
一方、ユーザ操作検出部２０４ｂから通知を受けた状態判定部２０３ｂは、周期Ｔ（＞ｔ０）が到来する毎に、バッファ部２０２ｂが蓄積した加速度センサ２０１の検出結果を読み出す処理を開始する。すなわち、周期Ｔ毎に、この周期Ｔの間にバッファ部２０２ｂに蓄積された複数サンプルの上記検出結果を読み出し始める。
【００３６】
なお、通知を受けた時点で状態判定部２０３ｂは、現時点でバッファ部２０２ｂに蓄積された最新の検出結果を読み出し、以後は、周期Ｔが経過する毎に、この周期Ｔの間にバッファ部２０２ｂに蓄積された複数サンプルの上記検出結果を読み出す。これにより、非定常状態検出部２０６が非定常状態を検出する直前の検出結果と、非定常状態検出部２０６が非定常状態を検出した時点からユーザ操作を検出した時点までを除く、それ以降の検出結果が状態判定部２０３ｂによって読み出される。
【００３７】
そして、状態判定部２０３ｂは、読み出した複数サンプルの検出結果に基づいて、当該移動無線端末装置の状態を判定する。そしてこの判定の結果が、当該移動無線端末装置をユーザが取り上げるなどして手に持っている状態と判定した場合には、状態判定部２０３ｂは、制御部１００をスリープ状態からアクティブ状態に遷移させる。
【００３８】
以上のように、上記構成の移動無線端末装置では、非定常状態検出部２０６が非定常状態を検出した時点からユーザ操作を検出した時点までを除いて、非定常状態になる直前の検出結果と、ユーザ操作を検出した時点以降の検出結果を状態判定部２０３ｂが読み出して、当該移動無線端末装置の状態を判定するようにしている。
【００３９】
したがって、上記構成の移動無線端末装置によれば、加速度センサ２０１の検出結果を状態判定部２０３ｂが逐次判定するのではなく、ユーザ操作があった場合にだけ、検出周期ｔ０よりも長い周期Ｔで判定を行うので、さらに判定に関わる消費電力を軽減することができ、また多少の検出遅延は生じるものの、検出精度を劣化させることもない。
【００４０】
また非定常状態における加速度センサ２０１の検出結果は、当該移動無線端末装置をバックから取り出している時などのような状態判定には不向きなデータであるため、状態判定には用いないようにしているので、誤判定を防止することができる。
【００４１】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００４２】
その一例として例えば、上記実施の形態では、携帯型電子機器の一例として、移動無線端末装置を例に挙げて説明したが、これに限定されるものではなく、ノート型パーソナルコンピュータや、PDA(Personal Digital Assistance)、携帯型ゲーム機、携帯型音楽再生装置、カーナビゲーションシステムなどに適用することができる。  
その他、この発明の要旨を逸脱しない範囲で種々の変形を施しても同様に実施可能であることはいうまでもない。
【図面の簡単な説明】
【００４３】
【図１】この発明に係わるセンシング方法を適用した移動無線端末装置の構成を示す回路ブロック図。
【図２】図１に示した移動無線端末装置のセンサ部の第１の実施形態に係わる構成を示す回路ブロック図。
【図３】図２に示したセンサ部の動作を説明するためのタイミングチャート。
【図４】図１に示した移動無線端末装置のセンサ部の第２の実施形態に係わる構成を示す回路ブロック図。
【図５】図４に示したセンサ部の動作を説明するためのタイミングチャート。
【図６】図４に示したセンサ部の動作を説明するためのタイミングチャート。
【図７】図１に示した移動無線端末装置のセンサ部の第３の実施形態に係わる構成を示す回路ブロック図。
【図８】図７に示したセンサ部の動作を説明するためのタイミングチャート。
【符号の説明】
【００４４】
１０…無線通信部、２０…センサ部、３０…通話部、３１…スピーカ、３２…マイクロホン、４０…表示部、５０…操作部、６０…記憶部、１００…制御部、２０１…加速度センサ、２０２ａ，２０２ｂ…バッファ部、２０３ａ，２０３ｂ…状態判定部、２０４ａ，２０４ｂ…ユーザ操作検出部、２０５…照度センサ、２０６…非定常状態検出部、ＢＳ…基地局装置、ＮＷ…移動通信網。
【図１】
2010033174.tif 000003
【図２】
2010033174.tif 000004
【図３】
2010033174.tif 000005
【図４】
2010033174.tif 000006
【図５】
2010033174.tif 000007
【図６】
2010033174.tif 000008
【図７】
2010033174.tif 000009
【図８】
2010033174.tif 000010